(57)【特許請求の範囲】
【請求項１】
隆起レールをプラットフォーム上に、ドッキングコネクタをハウジング内に有するドッキングステーションと、
徐々に広がる形状の凹み溝部をベースユニットの底部上に、コンピュータコネクタを該ベースユニットの背部に有するポータブルコンピュータと
を位置合わせする方法であって、
前記ポータブルコンピュータの載置される領域を画定する側壁が前記プラットフォームの上面の左端および右端に備えられ、
前記ポータブルコンピュータが前記プラットフォーム上かつ前記側壁の間の位置に載置され、かつ前記ポータブルコンピュータが前記ドッキングステーションに接続される前の状態のときに、前記徐々に広がる形状の凹み溝部の広がり部分の幅の中に、前記隆起レールの、前記広がり部分と対向する端部が位置するように前記広がり部分が形成され、
前記ドッキングステーションの前記プラットフォーム上に前記ポータブルコンピュータを載置するステップと、
前記ポータブルコンピュータ上の前記徐々に広がる形状の凹み溝部が前記隆起レールと相互作用すると共に前記コンピュータコネクタが前記ドッキングコネクタに対して位置が揃って接続するように、前記ポータブルコンピュータを前記ハウジングに向かって滑動させるステップと
を備える位置合わせ方法。
【請求項２】
ドッキングステーションと、
前縁部、後縁部、左縁部および右縁部を有し、コンピュータコネクタを該後縁部に有するポータブルコンピュータと
を備えるコンピュータシステムであって、
前記ドッキングステーションは、
ドッキングコネクタを有するハウジングと、
正面側方部、後方側方部、左側方部および右側方部を有し、前記後方側方部において前記ハウジングと連接するプラットフォームと
をさらに有し、
前記プラットフォームは、隆起レールと、前記プラットフォームの上面の左端および右端に備えられた側壁であって、前記ポータブルコンピュータの載置される領域を画定する側壁とをさらに有し、
前記ポータブルコンピュータは、
頂部および底部を有するベースユニットと、
前記ベースユニットの前記頂部に接続されたディスプレイ装置と
をさらに備え、
前記ポータブルコンピュータの前記ベースユニットの前記底部は徐々に広がる形状の凹み溝部（５２）を有し、
前記ポータブルコンピュータが前記プラットフォーム上に配置されて前記ハウジング方向に摺動させられて前記コンピュータコネクタが前記ドッキングコネクタと位置が揃って接続するようにする際に、前記ドッキングステーション上の隆起レールは、前記ポータブルコンピュータと前記ドッキングステーションの前記ハウジングとを正確に位置合わせするように案内するように、前記ポータブルコンピュータ上の前記凹み溝部と相互作用し、
前記凹み溝部は、前記ポータブルコンピュータの前記後縁部において広がっており、
前記ポータブルコンピュータが前記プラットフォーム上かつ前記側壁の間の位置に載置され、かつ前記ポータブルコンピュータが前記ドッキングステーションに接続される前の状態のときに、前記徐々に広がる形状の凹み溝部の広がり部分の幅の中に、前記隆起レールの、前記広がり部分と対向する端部が位置するように前記広がり部分が形成される
コンピュータシステム。
【請求項３】
前記隆起レールは、前記前記ハウジングに接する
ことを特徴とする請求項２に記載のコンピュータシステム。
【請求項４】
前縁部、後縁部、左縁部および右縁部を備え、
プラットフォームおよびハウジングを有するドッキングステーション上のドッキングコネクタに接続するコンピュータコネクタを前記後縁部に備えるポータブルコンピュータであって、
前記ドッキングステーションは、前記プラットフォーム上に備えられる隆起レールと、前記プラットフォームの上面の左端および右端に備えられた側壁であって前記ポータブルコンピュータの載置される領域を画定する側壁とを有し、
前記ポータブルコンピュータは、
頂部および底部を有するベースユニットと、
前記ベースユニットの前記頂部に接続されたディスプレイ装置とを備え、
前記ポータブルコンピュータの前記ベースユニットの前記底部はさらに、
前記コンピュータコネクタが前記ドッキングコネクタに対して位置が揃って接続するように、前記ポータブルコンピュータが前記プラットフォームに置かれて前記ハウジングに向かって摺動させられる時に、前記隆起レールと相互作用して前記ポータブルコンピュータを前記ドッキングステーションに正確に位置合わせするように案内する徐々に拡がる形状の凹み溝部
を有し、
前記ポータブルコンピュータが前記プラットフォーム上かつ前記側壁の間の位置に載置され、かつ前記ポータブルコンピュータが前記ドッキングステーションに接続される前の状態のときに、前記徐々に広がる形状の凹み溝部の広がり部分の幅の中に、前記隆起レールの、前記広がり部分と対向する端部が位置するように前記広がり部分が形成されるポータブルコンピュータ。
【請求項５】
前記凹み溝部は、前記ポータブルコンピュータの左縁部と右縁部との間の略中心に配設されることを特徴とする請求項４記載のポータブルコンピュータ。
【請求項６】
前記ポータブルコンピュータが前記プラットフォーム上に配置されるとともに前記ハウジング方向に摺動させられる際に、前記コンピュータコネクタが前記ドッキングコネクタと位置が揃って接続するように、前記ポータブルコンピュータを前記ドッキングステーションに正確に位置合わせするように案内する
第２凹み溝部（５３）をさらに備えることを特徴とする請求項４記載のポータブルコンピュータ。
【請求項７】
前記第２凹み溝部は前記ポータブルコンピュータの後縁部側で広がっていることを特徴とする請求項６記載のポータブルコンピュータ。
【請求項８】
前記コンピュータコネクタは前記ポータブルコンピュータの左縁部と右縁部との間の略中心に配設され、
前記凹み溝部は、前記コンピュータコネクタと前記ポータブルコンピュータの前記左縁部との間にあり、
前記第２凹み溝部は、前記コンピュータコネクタと前記ポータブルコンピュータの前記右縁部との間にあることを特徴とする請求項７記載のポータブルコンピュータ。
【発明の詳細な説明】
【０００１】
【発明の属する技術分野】
本発明は電気機器回路の分野に関する。より詳細には、本発明はポータブルコンピュータ及びドッキングステーションを有するコンピュータシステムのための位置合わせ機構に関する。
【０００２】
【従来技術及びその問題点】
ポータブルコンピュータは最近数年間ますます人気を博してきている。ポータブルコンピュータは本来的に小型軽量かつ場所から場所に持ち運びが簡単であるにもかかわらず、その性能、メモリ及び処理能力は、そのはるかに大型の兄弟格であるデスクトップコンピュータに匹敵する。実際、ポータブルコンピュータは非常にハンディであるため、特に今日のモバイルコンピューティングの熟達者にとって、大型でかさばるデスクトップコンピュータを必要とする理由を見つけることがもはや困難になっている。
【０００３】
ポータブルコンピュータの主な欠点の１つに、周辺機器、たとえば、プリンタ、モデム、外付けスピーカ、外付けモニタ、外付け入力デバイス等を容易に取り付けるのに比較的融通が利かないことが挙げられる。ユーザがオフィスにいるときにポータブルコンピュータをデスクトップコンピュータの代わりに実際に使おうとする場合、周辺機器を素早く、容易に、柔軟に取付けできることが重要となる。
【０００４】
さらに近年、ポータブルコンピュータのためのドッキングステーションが開発されたことにより、周辺機器をより柔軟に取り付けることが可能になっている。ドッキングステーションは比較的単純な手動式ポートリプリケータからより複雑な機械式のフル装備（full-fledged）ドッキングシステムまで、複雑性が多岐にわたる。ユーザがオフィスにいる場合など、ポータブルコンピュータをこれらのドッキングステーションに接続する場合、ユーザが外回りにポータブルコンピュータを携帯するという柔軟性を維持しながら、デスクトップシステムの実質的にすべての恩恵を受けることができる。
【０００５】
ドッキングステーションにより、ポータブルコンピュータはデスクトップの真の代替となることが可能であるが、問題がないわけではない。そのような問題の一つは、第１に、ポータブルコンピュータをドッキングステーションと接続することが比較的困難であるという性質である。ドッキングステーションがこのドッキングプロセスでユーザを支援するために複雑な機械的機構を有していない場合、多くのユーザはドッキングプロセスを良好な再現性で首尾よく達成することができないであろうし、ドッキングステーション、ポータブルコンピュータまたはその両方に損傷を与えてしまうおそれすらある。残念ながら、複雑な機械的機構を設けることは、ドッキングステーションのコスト、サイズ及び重量に多大な負担をかける。ドッキングステーションがさらに大型に、さらに重く高価になると、デスクトップコンピュータに対するポータブルコンピュータとドッキングステーションの利点が際立たなくなる。
【０００６】
ドッキングステーションに絡む別の問題は、ポータブルコンピュータの以前のモデルに較べてサイズが異なるポータブルコンピュータの新規モデルがリリースされる度に、通常はドッキングステーションを変更する必要があることである。このことは、コンピューティングシステムの費用を上げるとともに、デスクトップコンピュータに対するポータブルコンピュータ及びドッキングステーションの利点が際立たなくなる。
【０００７】
【課題を解決するための手段】
コンピュータシステムはドッキングステーションとポータブルコンピュータを備える。ドッキングステーションはプラットフォーム及びドッキングコネクタを有するハウジングを備える。プラットフォームは１つまたは複数の隆起したレールを有する。ポータブルコンピュータは、コンピュータコネクタと、頂部及び底部を有するベースユニットと、このベースユニットの頂部に接続されたディスプレイ装置と、前記ベースユニットの底部に一または複数の凹み溝部を備える。ドッキングステーションの隆起レールはポータブルコンピュータの凹み溝部と相互に作用して、コンピュータコネクタがドッキングステーションと整列してこれと接続するようにポータブルコンピュータをプラットフォームに配置してハウジング方向に摺動する際に、ポータブルコンピュータをドッキングステーションのハウジングと正確に位置合わせするよう案内する。ドッキングステーションのプラットフォームはプラットフォームの側方部に側壁または回動可能なバンパーを備えて、ドッキングステーションとポータブルコンピュータの間で大まかな位置合わせを行って、位置合わせプロセスにおいてポータブルコンピュータがさらにプラットフォームから滑り落ちないようにしてもよい。好ましくは、凹み溝部はポータブルコンピュータの後縁部で広がって、ポータブルコンピュータとドッキングステーションとの位置合わせを一層支援するようにすることができる。本発明の好適な代替の実施形態のドッキングステーションは各種のフォームファクタを持ったポータブルコンピュータを収容することができるため、パーソナルコンピュータの新規モデルが別のフォームファクタでリリースされる度に交換する必要がなくなる。
【０００８】
【発明の実施の形態】
図１は本発明の好適な実施例のコンピューティングシステムのドッキングステーションを示す。ドッキングステーション２０はハウジング２１とプラットフォーム２４を備える。ハウジング２１はドッキングコネクタ２２と周辺機器コネクタ２３を備える。プラットフォーム２４は、後方側方部２５と、左側方部２６と、正面側方部２７と、右側方部２８を有する。好適な実施例において、プラットフォーム２４は隆起レール３２を有する。なお、隆起レール３２はプラットフォーム２４の左側方部２６と右側方部２８の間、ハウジング２１の略中心にある。隆起レール３２及びドッキングコネクタ２２はプラットフォーム２４にこれとは別の態様で配設できるとともにそれでも依然として本発明の精神及び範囲に含まれることは当業者には理解されよう。たとえば、ドッキングコネクタ２２は、プラットフォーム２４において、隆起レール３２と右側方部２８の間に配置してもよい。好適な実施例では、プラットフォーム２４には左壁３４と右壁３６も含まれている。左壁３４及び右壁３６は詳細を後述するようにポータブルコンピュータを大まかに位置合わせし、プラットフォーム２４に配置したときポータブルコンピュータがプラットフォーム２４の左側方部２６または右側方部２８から滑り落ちるのを防ぐのに十分な高さである。
【０００９】
図２は本発明の好適な実施例のコンピューティングシステムのポータブルコンピュータを示す。理解しやすいように、図２にはポータブルコンピュータ４０の底面の等角投影図を示す。ポータブルコンピュータ４０はディスプレイ装置４１とベースユニット４４を備える。ベースユニット４４は、左縁部４６と、前縁部４７と、右縁部４８と、後縁部４９を有する。後縁部４９にはコンピュータコネクタ４２が配設される。ベースユニット４４はまた底部５１と頂部５５を有する。底部５１には凹み溝部５２が形成される。好適な実施例において、凹み溝部５２は後縁部４９側で広がって、ポータブルコンピュータ４０とドッキングステーション２０との位置合わせを容易にしている。これについては詳細を後述する。
【００１０】
図３は本発明の好適な実施例のポータブルコンピュータと位置合わせした、好適な実施例のコンピューティングシステムのドッキングステーションを示す。ポータブルコンピュータ４０はドッキングステーション２０のプラットフォーム２４に配置される。ポータブルコンピュータ４０をプラットフォーム２４上をハウジング２１方向に摺動させると、側壁３４及び３６は、ポータブルコンピュータ４０をドッキングステーション２０と大まかに位置合わせした状態で、ポータブルコンピュータ４０がプラットフォーム２４の左側または右側から滑り落ちないようにしている。隆起レール３２（ポータブルコンピュータ４０の上側からは見えないため、破線で示される）は凹み溝部５２と相互作用して、ポータブルコンピュータ４０とドッキングステーション２０との精緻な位置合わせを行い、コンピュータコネクタ４２がドッキングコネクタ２２と嵌まり合うようにする。
【００１１】
図４は本発明の代替実施例のポータブルコンピュータと位置合わせした、本発明の好適な実施例のコンピューティングシステムのドッキングステーションを示す。図３と同様に、ポータブルコンピュータ４０'はドッキングステーション２０のプラットフォーム２４に配置される。図４に示すように、ポータブルコンピュータ４０'はポータブルコンピュータ４０とは異なるフォームファクタを有する。具体的には、ポータブルコンピュータ４０'はポータブルコンピュータ４０に比してかなり小型である。それにもかかわらず、ポータブルコンピュータ４０'をプラットフォーム２４上をハウジング２１方向に摺動すると、側壁３４及び３６はポータブルコンピュータ４０'をドッキングステーション２０と大まかに位置合わせした状態でポータブルコンピュータ４０'がプラットフォーム２４の左側または右側から滑り落ちないようにしている。前述のように、隆起レール３２はポータブルコンピュータ４０'の凹み溝部５２と相互作用して、ポータブルコンピュータ４０'とドッキングステーション２０との精緻な位置合わせを行い、コンピュータコネクタ４２がドッキングコネクタ２２と嵌まり合うようにする。なお、凹み溝部５２の広がり部分があることにより、ポータブルコンピュータ４０'がプラットフォーム２４に配置される初期位置にかかわらず、ポータブルコンピュータ４０'をドッキングステーション２０と精緻に位置合わせすることに注意されたい。
【００１２】
図５は本発明の代替実施例のドッキングステーションを示す。ドッキングステーション２０'は図１のドッキングステーション２０と非常に類似しているが、ドッキングコネクタ２２はプラットフォーム２４の左側方部２６と右側方部２８の間であってハウジング２１の略中心にある。さらに、プラットフォーム２４は第２隆起レール３３を含む。隆起レール３２はドッキングコネクタ２２と左側方部２６の間に配設される。第２隆起レール３３はドッキングコネクタ２２とプラットフォーム２４の右側方部２８の間に配設される。第２隆起レール３３により、ドッキングステーションとポータブルコンピュータとのより精緻な位置合わせが可能となる。さらに、ドッキングコネクタ２２が左壁２６と右壁２８の間の略中心にある場合、ドッキングステーション２０'はフォームファクタの異なるより広範な種々のポータブルコンピュータを収納することができる。
【００１３】
図６は本発明の代替実施例のポータブルコンピュータを示す。ポータブルコンピュータ４０''は図２のポータブルコンピュータ４０と非常に類似しているが、コンピュータコネクタ４２は左縁部４６と右縁部４８の間であって後縁部４９の略中心にある。さらに、底部５１は第２凹み溝部５３を含む。凹み溝部５２はコンピュータコネクタ４２と左縁部４６の間に配設される。第２凹み溝部５３はコンピュータコネクタ４２と右縁部４８の間に配設される。ポータブルコンピュータ４０''の凹み溝部５２及び第２凹み溝部５３は、ポータブルコンピュータ４０''がプラットフォーム２４に配置されてドッキングステーション２０'のハウジング２１方向に摺動するとき、ドッキングステーション２０'の隆起レール３２及び第２隆起レール３３とそれぞれ相互作用する。ポータブルコンピュータ４０''は図６に示すものに比してかなり小さいフォームファクタを有してもよいが、それでも正確に位置合わせされ、従ってドッキングステーション２０'とともに使用できることは、当業者には理解されよう。たとえば、ポータブルコンピュータ４０''は、破線７０で示すように、凹み溝部５２及び５３を取り囲む幅及び長さよりも広くなくてよい。凹み溝部５２及び５３が互いにもっと接近している場合、フォームファクタはさらに小さくなり、パームトップ（手のひらサイズの）ポータブルコンピュータ、システム手帳のようなパーソナル情報マネージャ、ページャつまりポケットベルまたは携帯電話ほどのサイズになることもある。本発明の目的において、これらの装置は、本明細書中で上述したようなドッキングステーションと併用する場合には、本明細書中で使用する用語である「ポータブルコンピュータ」であるものと見なされる。
【００１４】
図７は本発明の別の代替実施例のドッキングステーションを示す。ドッキングステーション２０''は図１のドッキングステーション２０と非常に似ているが、側壁３４及び３６が回動可能なバンパー３８及び３９に置き換えられている。さらに、ドッキングステーション２０''の隆起レール３５はドッキングステーション２０の隆起レール３２よりも更に長く延びている。これにより、隆起レール３５は、ポータブルコンピュータ４０をまずドッキングステーション２０''のプラットフォーム２４に配置するときに、ポータブルコンピュータ４０の凹み溝部５２（図２）と相互作用する。回動可能なバンパー３８及び３９はドッキングステーション２０の側壁３４及び３６（図１）によって提供される機能と同様にポータブルコンピュータ４０とドッキングステーション２０''とを大まかに位置合わせする。回動可能なバンパー３８及び３９はポータブルコンピュータ４０がプラットフォーム２４の左側方部または右側方部から滑り落ちるのを防ぐのに十分な高さである。フォームファクタの小さいポータブルコンピュータを回動可能なバンパー３８及び３９の間のプラットフォーム２４に配置することができる。この場合には、この小型ポータブルコンピュータがプラットフォーム２４上をハウジング２１方向に摺動する際に、回動可能なバンパー３８及び３９をハウジング２１方向に偏向させることがない。同様に、フォームファクタがより大きいポータブルコンピュータは回動可能なバンパー３８と３９の間のプラットフォーム２４に配置することができるが、この場合にはポータブルコンピュータのサイズがより大きいことにより、回動可能なバンパー３８及び３９は、この大型ポータブルコンピュータがプラットフォームをハウジング２１方向に摺動する際にハウジング２１方向に回動的に偏向させる。この場合、バンパー３８及び３９はフォームファクタの異なる広範にわたる種々のポータブルコンピュータを大まかに位置合わせする。
【００１５】
図８は本発明のさらに別の代替実施形態のドッキングステーションを示す。ドッキングステーション２０'''は図７のドッキングステーション２０''と類似しているが、ドッキングコネクタ２２はドッキングステーション２０'''の左側方部と右側方部の間、ハウジング２１の略中心にある。さらに、ドッキングコネクタ２２と左側方部２６の間には隆起レール３５が配設される。ドッキングコネクタ２２と右側方部２８の間には第２の隆起レール３７が配設される。また、図８には、図７の回動可能な左側バンパー３８が一組の回動可能な左側バンパー３８ａと３８ｂとして示され、図７の右側バンパー３９は１組の回動可能な右側バンパー３９ａと３９ｂとして示されている。追加された隆起レール及びバンパーは、このより精緻な位置合わせのために更に経費をかけることができるアプリケーションにおいて、ポータブルコンピュータ４０''（図６）とドッキングステーション２０'''の間にはるかに精緻な位置合わせを提供する。
【００１６】
以下に本発明の実施態様の例を列挙する。
【００１７】
〔実施態様１〕以下の(a)から(c)の特徴を有するコンピュータコネクタ（４２）を有するポータブルコンピュータ（４０、４０'、４０''）のためのドッキングステーション（２０、２０'、２０''）：
(a) 前記ドッキングコネクタ（２２）を有するハウジング（２１）を有する；
(b) 正面側方部（２７）と、後方側方部（２５）と、左側方部（２６）と、右側方部（２８）とを有し、前記後方側方部において前記ハウジングと連接するプラットフォーム（２４）を有する；
(c) 前記プラットフォームは、前記ポータブルコンピュータを前記プラットフォーム上に配置して前記ハウジング方向に摺動する際に前記コンピュータコネクタが前記ドッキングコネクタと一列になって前記ドッキングコネクタと接続するように、前記ポータブルコンピュータを前記ドッキングステーションの前記ハウジングと正確に位置合わせするように案内する隆起レール（３２、３５）を有する。
【００１８】
〔実施態様２〕前記隆起レールは前記プラットフォームの前記左側方部と前記右側方部の間の略中心に配設されることを特徴とする実施態様１記載のドッキングステーション。
【００１９】
〔実施態様３〕前記プラットフォームの左側方部の左壁（３４）と、
前記プラットフォームの右側方部の右壁（３６）と
を備え、
前記左壁と前記右壁は前記ポータブルコンピュータが前記プラットフォームの左側方部または右側方部から滑り落ちるのを防ぐのに十分な高さである
ことを特徴とする実施態様１記載のドッキングステーション。
【００２０】
〔実施態様４〕前記ポータブルコンピュータを前記プラットフォーム上に配置するとともに、前記ハウジング方向に摺動する際に前記コンピュータコネクタが前記ドッキングコネクタと一列になって前記ドッキングコネクタと接続するように、前記ポータブルコンピュータを前記ドッキングステーションの前記ハウジングと正確に位置合わせするように案内する第２隆起レール（３３、３７）を備えることを特徴とする実施態様１記載のドッキングステーション。
【００２１】
〔実施態様５〕前縁部（４７）と、後縁部（４９）と、左縁部（４６）と、右縁部（４８）と、前記後縁部にあってプラットフォーム（２４）及びハウジング（２１）を有するドッキングステーション（２０、２０'、２０''）のドッキングコネクタ（２２）に接続するためのコンピュータコネクタ（４２）とを有するとともに、以下の(a)から(c)の特徴を有するポータブルコンピュータ（４０、４０'、４０''）：
(a) 頂部（５５）と底部（５１）を有するベースユニット（４４）を有する；
(b) 前記ベースユニットの頂部に接続されるディスプレイ装置（４１）を有する；
(c) 前記ポータブルコンピュータの前記ベースユニットの前記底部は、前記ポータブルコンピュータを前記プラットフォーム上に配置するとともに、前記ハウジング方向に摺動する際に前記コンピュータコネクタが前記ドッキングコネクタと一列になって前記ドッキングコネクタと接続するように、前記ポータブルコンピュータを前記ドッキングステーションと正確に位置合わせするように案内する凹み溝部（５２）を備える。
【００２２】
〔実施態様６〕前記凹み溝部は前記ポータブルコンピュータの後縁部側で広がっていることを特徴とする実施態様５記載のポータブルコンピュータ。
【００２３】
〔実施態様７〕前記凹み溝部は、前記ポータブルコンピュータの左縁部と右縁部の間の略中心に配設されることを特徴とする実施態様６記載のポータブルコンピュータ。
【００２４】
〔実施態様８〕前記ポータブルコンピュータを前記プラットフォーム上に配置されるとともに、前記ハウジング方向に摺動する際に前記コンピュータコネクタが前記ドッキングコネクタと一列になって前記ドッキングコネクタと接続するように、前記ポータブルコンピュータを前記ドッキングステーションと正確に位置合わせをするように案内する第２凹み溝部（５３）を備えることを特徴とする実施態様５記載のポータブルコンピュータ。
【００２５】
〔実施態様９〕前記凹み溝部及び前記第２凹み溝部は前記ポータブルコンピュータの後縁部側で広がっていることを特徴とする実施態様８記載のポータブルコンピュータ。
【００２６】
〔実施態様１０〕前記コンピュータコネクタは前記ポータブルコンピュータの左縁部と右縁部の間の略中心に配設され、
前記凹み溝部は前記コンピュータコネクタと前記ポータブルコンピュータの前記左縁部の間にあり、
前記第２凹み溝部は前記コンピュータコネクタと前記ポータブルコンピュータの前記右縁部の間にある
ことを特徴とする実施態様９記載のポータブルコンピュータ。
【図面の簡単な説明】
【図１】本発明の好適な実施形態のコンピューティングシステムのドッキングステーションを示す図。
【図２】本発明の好適な実施形態のコンピューティングシステムのポータブルコンピュータを示す図。
【図３】本発明の好適な実施形態のポータブルコンピュータと位置合わせした、本発明の好適な実施形態のコンピューティングシステムのドッキングステーションを示す図。
【図４】本発明の代替の実施形態のポータブルコンピュータと位置合わせした、好適な実施形態のコンピューティングシステムのドッキングステーションを示す図。
【図５】本発明の代替の実施形態のドッキングステーションを示す図。
【図６】本発明の代替の実施形態のポータブルコンピュータを示す図。
【図７】本発明の別の代替の実施形態のドッキングステーションを示す図。
【図８】本発明の別の代替の実施形態のドッキングステーションを示す図。
【符号の説明】
２０、２０'、２０''：ドッキングステーション
２１：ハウジング
２２：ドッキングコネクタ
２４：プラットフォーム
２５：後方側方部
２６：左側方部
２７：正面側方部
２８：右側方部
３２、３５：隆起レール
３４：左壁
３３、３７：第２隆起レール
３６：右壁
４０、４０'、４０''：ポータブルコンピュータ
４１：ディスプレイ装置
４２：コンピュータコネクタ
４４：ベースユニット
４６：左縁部
４７：前縁部
４８：右縁部
４９：後縁部
５５：頂部
５１：底部
５２：凹み溝部
５３：第２凹み溝部
【図１】
0003660523.tif 000002
【図２】
0003660523.tif 000003
【図３】
0003660523.tif 000004
【図４】
0003660523.tif 000005
【図５】
0003660523.tif 000006
【図６】
0003660523.tif 000007
【図７】
0003660523.tif 000008
【図８】
0003660523.tif 000009